(57)【要約】【課題】耐震強度を向上させつつ、施工手間及び工事費の削減が可能となる改修建物の外壁構造を提供すること。【解決手段】改修建物の外壁構造１であって、建物の躯体２と、躯体２の外側において少なくとも上下に並んで配置される複数の既設の外装パネル３と、既設の外装パネル３の外側に上下方向に延びるように配置される枠材４と、枠材４の外側に取り付けられる新設の外装パネル５と、を有し、既設の外装パネル３と枠材４との間に、鋼板パネルを介在させずに、枠材４は、既設の外装パネル３のそれぞれに対して、複数箇所で固定される、改修建物の外壁構造１である。【選択図】図１
2020084417.tif 000002
【特許請求の範囲】
【請求項１】
改修建物の外壁構造であって、
建物の躯体と、
前記躯体の外側において少なくとも上下に並んで配置される複数の既設の外装パネルと、
前記既設の外装パネルの外側に上下方向に延びるように配置される枠材と、
前記枠材の外側に取り付けられる新設の外装パネルと、を有し、
前記既設の外装パネルと前記枠材との間に、鋼板パネルを介在させずに、
前記枠材は、前記既設の外装パネルのそれぞれに対して、複数箇所で固定される、改修建物の外壁構造。
【請求項２】
前記既設の外装パネル又は前記新設の外装パネルの上下方向に延びる側縁に沿って配置され、前記側縁と、前記既設の外装パネル又は前記新設の外装パネルの背面側に位置する前記躯体側の部材又は前記枠材と、に当接する留め具をさらに有し、
前記留め具は、前記躯体側の部材又は前記枠材に固定される、請求項１に記載の改修建物の外壁構造。
【発明の詳細な説明】
【技術分野】
【０００１】
本発明は、改修建物の外壁構造に関する。
【背景技術】
【０００２】
従来、建物を改修する際に、建物の外壁を構成している既設の外装パネルの外側に胴縁等の枠材を取り付け、その上に鋼板パネルを固定した上で、新設の外装材を鋼板パネルの外側に取り付ける建物の外壁構造が知られている（例えば、特許文献１参照）。
【先行技術文献】
【特許文献】
【０００３】
【特許文献１】実用新案登録第３１５１１２５号公報
【発明の概要】
【発明が解決しようとする課題】
【０００４】
建物の改修の際には耐震強度を強化させたいという要望がある。鋼板パネルは、外装パネルの外側の全域に取り付けられており、鋼板パネルが外装パネルを覆うように取り付けられることで、建物の強度は強化される。一方、鋼板パネルを取り付けると、取付の施工の手間及び材料の費用がかかる。既設の外装パネルが、例えば複数の窯業サイディングパネルを組み合わせたもののような場合、組み合わされた窯業サイディングパネルが地震の揺れによって横にずれてしまうという懸念があるため、耐震強度を確保しながら、施工の手間を低減することが望まれていた。
【課題を解決するための手段】
【０００５】
本発明は、改修建物の外壁構造（例えば、後述の改修建物の外壁構造１）であって、建物の躯体（例えば、後述の躯体２）と、前記躯体の外側において少なくとも上下に並んで配置される複数の既設の外装パネル（例えば、後述の窯業サイディングパネル３）と、前記既設の外装パネルの外側に上下方向に延びるように配置される枠材（例えば、後述の胴縁４）と、前記枠材の外側に取り付けられる新設の外装パネル（例えば、後述の金属サイディングパネル５）と、を有し、前記既設の外装パネルと前記枠材との間に、鋼板パネルを介在させずに、前記枠材は、前記既設の外装パネルのそれぞれに対して、複数箇所で前記枠材に固定される、改修建物の外壁構造に関する。
【０００６】
前記既設の外装パネル又は前記新設の外装パネルの上下方向に延びる側縁に沿って配置され、前記側縁と、前記既設の外装パネル又は前記新設の外装パネルの背面側に位置する前記躯体側の部材又は前記枠材と、に当接する留め具（例えば、後述の留め具６）をさらに有し、前記留め具は、前記躯体側の部材又は前記枠材に固定されることが好ましい。
【発明の効果】
【０００７】
本発明によれば、耐震強度を向上させつつ、施工手間及び工事費の削減が可能となる改修建物の外壁構造を提供することができる。
【図面の簡単な説明】
【０００８】
【図１】本実施形態の改修建物の外壁構造を示す斜視図である。
【図２】本実施形態の改修建物の外壁構造における新設の外装パネルを除いた状態を示し、（ａ）図は正面図であり、（ｂ）図は平面図であり、（ｃ）図は側面図であり、（ｄ）図は、（ｃ）図の一点鎖線の円で囲んだ部分の部分拡大図である。
【図３】本実施形態の改修建物の外壁構造における留め具を示し、（ａ）図は、留め具の側面図であり、（ｂ）図は、留め具を取り付ける状態の説明図である。
【図４】改修建物の外壁構造が揺れた状態を示し（ａ）図は従来の改修建物の外壁構造が傾いた状態を示し、（ｂ）図は、本実施形態の改修建物の外壁構造が傾いた状態を示す。
【発明を実施するための形態】
【０００９】
以下、本発明の実施形態について、図面を参照しながら詳細に説明する。
図１は、本実施形態の改修建物の外壁構造１を示す斜視図である。改修建物の外壁構造１は、建物の躯体２と、躯体２の外側に配置される既設の外装パネルとしての窯業サイディングパネル３と、枠材としての胴縁４と、新設の外装パネルとしての金属サイディングパネル５と、留め具６と、を有する。
建物の躯体２は、柱や梁等の建物の構造体である。図１に示すように、建物の躯体２は、既設の建物の基礎を構成している。
【００１０】
図２（ａ）は、改修建物の外壁構造１において、新設の金属サイディングパネル５を除いた状態の正面図を示し、図２（ｂ）は平面図であり、図２（ｃ）は側面図であり、図２（ｄ）は、図２（ｃ）の一点鎖線の円で囲んだ部分の部分拡大図である。
窯業サイディングパネル３は、既設の建物において外壁を構成していたパネルであり、図２（ａ）〜図２（ｃ）に示すように、躯体２の外側に複数取り付けられ、上下及び左右に並んで配置されている。窯業サイディングパネル３は、略長方形の板状の外壁材であり、躯体２の屋外側に固定される。窯業サイディングパネル３は、嵌合凹部３１と、嵌合凸部３２と、を有する。
なお、本明細書において上下方向とは、建物の天地方向を意味する。
【００１１】
図２（ｄ）に示すように、嵌合凹部３１及び嵌合凸部３２は、窯業サイディングパネル３の短手方向の側縁の上端及び下端に形成される。嵌合凹部３１及び嵌合凸部３２は、複数の窯業サイディングパネル３を上下方向に隣接させたときに互いに嵌合して「あいじゃくり」と呼ばれる嵌合部を形成する。
【００１２】
胴縁４は、窯業サイディングパネル３の外側表面に、金属サイディングパネル５を取り付けるために配置される。胴縁４は、建物の上下方向に沿って延びる長い縦木枠材であり、左右方向に互いに間を空けて窯業サイディングパネル３にねじ７により止められる。このとき、図２（ａ）及び図２（ｃ）に示すように、胴縁４は、一枚の窯業サイディングパネル３に、胴縁４に沿って間を空けて三箇所で固定される。このとき、窯業サイディングパネル３と胴縁４との間に、鋼板パネル（図示せず）等は介在されない。
【００１３】
ねじ７は、既設の外装パネル３の上端及び下端から上下方向の中央側に向かって５０ｍｍ前後離れた位置と、窯業サイディングパネル３の上下方向の中心から上方に３０ｍｍ前後ずれた位置に留められる。ねじ７は、上下に隣接する窯業サイディングパネル３同士の嵌合部を挟んで、上下方向の一方及び他方に配置される。図２（ｃ）では省略して図示しているが、図２（ｄ）に示すように、窯業サイディングパネル３は、既設の状態で躯体２に釘８等で固定されている。ねじ７は、既設の釘８を避けて止められる。また、図２（ａ）に示すように、ねじ７は、窯業サイディングパネル３の幅方向の一方及び他方に配置される一本の胴縁４それぞれの上に、二列留めてもよい。
【００１４】
金属サイディングパネル５は、胴縁４の外側に取り付けられる。金属サイディングパネル５は、表面に外壁を構成する意匠的な模様や凹凸が形成された矩形状のパネルであり、アルミニウム・亜鉛合金めっき鋼板（ガルバリウム鋼板（登録商標））により構成されている。金属サイディングパネル５は、複数の金属サイディングパネル５を上下方向に隣接させたときに、上端及び下端に設けられた一方の凹部に他方の凸部が嵌合するように形成されており、互いに嵌合して接合される（図３（ｂ）参照）。
【００１５】
図３（ａ）は、留め具６の側面図である。留め具６は、金属サイディングパネル５の上下方向に沿う側面に沿う第１面６１と、金属サイディングパネル５の背面に沿う第２面６２とを有する略Ｌ字型の金具であり、第２面６２から突出して胴縁４に差し込み可能なピン部６３が形成されている。第１面６１と第２面６２とは、略直交する方向に延びて端部で接合されている。図３（ｂ）に示すように、留め具６は、上下に隣接する金属サイディングパネル５同士が嵌合する部分の側面に第１面６１を当接させた状態で、第２面６２から延びるピン部６３を胴縁４に差し込んで固定される。
【００１６】
図４（ａ）は、従来の改修建物の外壁構造９が傾いた状態を示し、図４（ｂ）は、本実施形態の改修建物の外壁構造１が傾いた状態を示す。図４（ａ）に示すように、従来、改修建物の外壁構造９は、地震等で横に揺れる強い力が加わると、釘８等で固定されていても、既設の窯業サイディングパネル９１や新設の金属サイディングパネル９２が大きく左右にスライドし、胴縁９３から外れるほど互いにずれてしまう懸念がある。しかし、図４（ｂ）に示すように、本実施形態の改修建物の外壁構造１では、ねじ７が一枚の窯業サイディングパネル３に上下に三箇所留められているので、窯業サイディングパネル３が左右に移動することが防止される。さらに、上下に隣接する金属サイディングパネル５の嵌合部の側面に当接させた状態で、胴縁４に固定する留め具６が配置されている。金属サイディングパネル５が揺れて移動しても、留め具６の第１面６１が受け止めて支持する。
【００１７】
本実施形態によれば、以下の効果を奏する。
本実施形態では、改修建物の外壁構造１を、建物の躯体２と、躯体２の外側において少なくとも上下に並んで配置される複数の窯業サイディングパネル３と、窯業サイディングパネル３の外側に上下方向に延びるように配置される胴縁４と、胴縁４の外側に取り付けられる金属サイディングパネル５と、を含んで構成した。また、窯業サイディングパネル３と胴縁４との間に、鋼板パネルを介在させずに、胴縁４を、窯業サイディングパネル３のそれぞれに対して、複数箇所で固定した。
胴縁４が、窯業サイディングパネル３に複数箇所で固定されるので、ねじ７を一本で留めた場合と比べて回転せずに、窯業サイディングパネル３に揺れに対する耐力が生じる。また、複数の窯業サイディングパネル３のそれぞれが複数箇所で固定されることで、外壁全体に揺れに対する耐力が生じ、耐震強度が向上する。具体的には、胴縁４を窯業サイディングパネル３に複数箇所で固定することで、地震で建物が横に揺れた場合でも、窯業サイディングパネル３が横にずれて移動することが防止される。そして、窯業サイディングパネル３の移動幅が小さくなると、外壁自体の揺れが小さくなる。このため、鋼板パネルを窯業サイディングパネル３の外側に取り付けなくとも、胴縁４のすぐ上に金属サイディングパネル５のような外装仕上げ材を施工できることとなり、施工手間及び工事費の削減が可能となる。
【００１８】
また、本実施形態では、金属サイディングパネル５の上下方向に延びる側縁に沿って配置され、側縁と、金属サイディングパネル５の背面側に位置する胴縁４とに当接する留め具６をさらに含んで構成し、留め具６を、胴縁４に固定した。これにより、金属サイディングパネル５が地震等で横にずれることが防止されるので、確実及び簡易に耐震強度を向上させることができ、施工手間及び工事費の削減が可能となる。
【００１９】
以上、本発明の好ましい実施形態について説明したが、本発明は、上述の実施形態に制限されるものではなく、適宜変更が可能である。
例えば、上記実施形態では、ねじ７は一枚の窯業サイディングパネル３内で三箇所に留められているが、二箇所以上であれば、何箇所でもよい。ねじが一本では窯業サイディングパネルが回転するように移動する可能性があるが、一枚の窯業サイディングパネルを二箇所以上留めることで、外壁全体に揺れに対する耐力が生じる。
【００２０】
また、上記実施形態では、既設の外装パネルは窯業サイディングパネル３であり、新設のサイディングパネルは金属サイディングパネル５であるが、これに限られない。パネル同士が嵌合により上下に連結されるものであれば、本実施形態の改修建物の外壁構造が好適に用いられる。
【００２１】
また、上記実施形態では、留め具６は、改修建物の外壁構造１において、新設の金属サイディングパネル５の側面に配置されている。しかし、留め具６は、既設の窯業サイディングパネル３が上下に隣接する嵌合部の側面に配置し、留め具６の第２面を躯体２又は躯体２側の部材に固定してもよい。さらに、留め具６は、金属サイディングパネル５及び窯業サイディングパネル３の両方の側縁に配置されてもよい。
【００２２】
また、留め具６については、必ずしも改修建物の外壁構造１に用いなくてもよい。留め具６は、新設の建物の外壁構造において窯業サイディングパネルや金属サイディングパネル、その他のパネルの嵌合部の側縁に配置してもよい。
【００２３】
また、上記実施形態では、枠材として長い縦木枠材の胴縁４を例に説明しているが、これに限られない。上下（縦）方向に延びて新設の外装パネルが固定できる枠材であればよく、強度があればより好ましい。他の枠材によっても、本実施形態の改修建物の外壁構造が好適に用いられる。
【符号の説明】
【００２４】
１      改修建物の外壁構造
２      躯体
３      窯業サイディングパネル（既設の外装パネル）
４      胴縁（枠材）
５      金属サイディングパネル（新設の外装パネル）
６      留め具
【図１】
2020084417.tif 000003
【図２】
2020084417.tif 000004
【図３】
2020084417.tif 000005
【図４】
2020084417.tif 000006